(57)【要約】【課題】スイッチ機能を有しながら小型化するとともに、部品点数を削減し、それにより、低コストを実現する。【解決手段】電源プラグのプラグ端子を挿入した状態で、少なくともオフ用位置２ａと、オン用位置２ｂとの２段階回動自在となるように形成された端子挿入孔２を少なくとも一組、一の面１１ａに有するハウジング１を備えるとともに、プラグ端子がオフ用位置２ａ又はオン用位置２ｂのうち、オン用位置２ｂにあるときにプラグ端子を商用（外部）電源に接続する一方、オフ用位置２ａにあるときにプラグ端子を商用電源から開放する接続手段とをハウジング１内に備える。【選択図】図１
2005339978.tif 000002
【特許請求の範囲】
【請求項１】
電源プラグのプラグ端子を挿入した状態で、少なくともオフ用位置と、オン用位置との２段階回動自在となるように形成された端子挿入孔を少なくとも一組、一の面に有するハウジングを備えるとともに、
前記プラグ端子が前記オフ用位置又は前記オン用位置のうち、前記オン用位置にあるときに前記プラグ端子を外部電源と電気的に接続する一方、前記オフ用位置にあるときに前記プラグ端子を前記外部電源から電気的に開放する接続手段をハウジング内に備えることを特徴とするスイッチ機能付きコンセント。
【請求項２】
前記端子挿入孔は、少なくとも挿抜用位置と、オフ用位置と、オン用位置との３段階回動自在となるように形成され、
前記プラグ端子が前記オフ用位置又は前記オン用位置にあるときにそのプラグ端子を抜け止めする抜止手段をハウジング内に備えることを特徴とする請求項１記載のスイッチ機能付きコンセント。
【請求項３】
前記オフ用位置は、前記挿抜用位置を挟んで、前記オン用位置と反対方向に形成することを特徴とする請求項２記載のスイッチ機能付きコンセント。
【請求項４】
前記端子挿入孔は、少なくとも前記挿抜用位置と、前記オフ用位置と、前記オン用位置と、条件付きオン用位置との４段階回動自在となるように形成され、
前記プラグ端子が前記条件付きオン用位置にあるときに、前記抜止手段は前記プラグ端子を抜け止めし、前記プラグ端子は予め決められた条件に基づいて前記外部電源と接続することを特徴とする請求項２又は３記載のスイッチ機能付きコンセント。
【請求項５】
前記端子挿入孔のそれぞれの位置のうち、少なくとも一部の位置を表示する表示手段を備えることを特徴とする請求項１〜４のいずれか記載のスイッチ機能付きコンセント。
【請求項６】
前記端子挿入孔のそれぞれの位置のうち、少なくとも一部の位置に前記プラグ端子があることを報知する報知手段を備えることを特徴とする請求項１〜５のいずれか記載のスイッチ機能付きコンセント。
【発明の詳細な説明】
【技術分野】
【０００１】
本発明は、例えば、電源プラグを外部電源と接続するか否かを切り替えるスイッチ機能付きコンセントに関するものである。
【背景技術】
【０００２】
従来、この種のスイッチ機能付きコンセントは、例えば、電源プラグのプラグ端子（栓刃）を挿入するために形成された一組の端子挿入孔と、その端子挿入孔の近傍の別スペースに設置されたスイッチとをハウジングに備えて構成されている。このスイッチ機能付きコンセントは、上記スイッチの釦操作により、上記端子挿入孔に挿入されたプラグ端子を外部電源（例えば商用電源など）と接続するか否かを切り替える。
【０００３】
なお、このようなスイッチ機能付きスイッチのコンセントには、端子挿入孔に、プラグ端子を挿抜するための挿抜用位置を形成し、その挿抜用位置にプラグ端子を挿入し、そのプラグ端子を端子挿入孔に挿入した状態で電源プラグを時計方向に回すと、プラグ端子を端子挿入孔から抜け止めするものもある。
【０００４】
また、特許文献１には、プラグ差し込み口ボデーを回転式として、そのプラグ差し込み口ボデーに配線コードのプラグを差し込んだ状態でプラグをプラグ差し込み口ボデーとともに回すことにより、プラグへの電流の導通、遮断の切り替えを行うスイッチコンセントが開示されている。
【特許文献１】特開２０００−２５２０２２号公報（第２頁、及び、第１図）
【発明の開示】
【発明が解決しようとする課題】
【０００５】
しかしながら、上記従来のスイッチ機能付きコンセントなどは、上記スイッチのために端子挿入孔とは別のスペースが必要であるので、大型化になるといった問題があった。また、上記の構成では、釦、その釦操作で動作するための部品などが必要となるので、部品点数が増え、それによりコストが増大するという問題もあった。
【０００６】
また、特許文献１に開示されているスイッチコンセントなどにおいても、ハウジング（スイッチコンセントボデーカバー）の成形時に端子挿入孔（プラグ差し込み口）を形成することができず、端子挿入孔を形成するプラグ差し込み口ボデーを設けなければならないので、部品点数が増え、それによりコストが増大するという問題があった。
【０００７】
本発明は上記の点に鑑みて為されたものであり、その目的とするところは、スイッチ機能を有しながら小型化することができるとともに、部品点数を削減することができ、それにより、低コストを実現することができるスイッチ機能付きコンセントを提供することにある。
【課題を解決するための手段】
【０００８】
請求項１に記載の発明は、電源プラグのプラグ端子を挿入した状態で、少なくともオフ用位置と、オン用位置との２段階回動自在となるように形成された端子挿入孔を少なくとも一組、一の面に有するハウジングを備えるとともに、前記プラグ端子が前記オフ用位置又は前記オン用位置のうち、前記オン用位置にあるときに前記プラグ端子を外部電源と電気的に接続する一方、前記オフ用位置にあるときに前記プラグ端子を前記外部電源から電気的に開放する接続手段をハウジング内に備えることを特徴とする。
【０００９】
この構成では、電源プラグを回動することにより、プラグ端子が外部電源と電気的に接続するか否かを切り替えることができるので、スイッチ機能を有しながら小型化することができるとともに、部品点数を削減することができ、それにより、低コストを実現することができる。
【００１０】
請求項２に記載の発明は、請求項１に記載の発明において、前記端子挿入孔は、少なくとも挿抜用位置と、オフ用位置と、オン用位置との３段階回動自在となるように形成され、前記プラグ端子が前記オフ用位置又は前記オン用位置にあるときにそのプラグ端子を抜け止めする抜止手段をハウジング内に備えることを特徴とする。この構成では、プラグ端子がオフ用位置及びオン用位置に位置する場合に、プラグ端子を端子挿入孔から抜け止めすることができるので、安全に使用することができる。
【００１１】
請求項３に記載の発明は、請求項２に記載の発明において、前記オフ用位置は、前記挿抜用位置を挟んで、前記オン用位置と反対方向に形成することを特徴とする。この構成では、オフ用位置とオン用位置は、挿抜用位置からの回動方向が互いに反対になるので、オンとオフの切り替えの間違いを低減することができ、操作性に優れている。
【００１２】
請求項４に記載の発明は、請求項２又は３に記載の発明において、前記端子挿入孔は、少なくとも前記挿抜用位置と、前記オフ用位置と、前記オン用位置と、条件付きオン用位置との４段階回動自在となるように形成され、前記プラグ端子が前記条件付きオン用位置にあるときに、前記抜止手段は前記プラグ端子を抜け止めし、前記プラグ端子は予め決められた条件に基づいて前記外部電源と接続することを特徴とする。この構成では、プラグ端子が条件付きオン用位置に位置すると、予め決められた条件に基づいてプラグ端子を外部電源と接続することができる。
【００１３】
請求項５に記載の発明は、請求項１〜４のいずれかに記載の発明において、前記端子挿入孔のそれぞれの位置のうち、少なくとも一部の位置を表示する表示手段を備えることを特徴とする。この構成では、端子挿入孔において表示手段を備えた位置では、その位置を明確にすることができるので、電源プラグを正確に回動することができ、それにより操作性を向上させることができる。
【００１４】
請求項６に記載の発明は、請求項１〜５のいずれかに記載の発明において、前記端子挿入孔のそれぞれの位置のうち、少なくとも一部の位置に前記プラグ端子があることを報知する報知手段を備えることを特徴とする。この構成では、端子挿入孔において報知手段を備えた位置では、プラグ端子がある端子挿入孔の位置を明確にすることができ、操作性を向上させることができる。
【発明の効果】
【００１５】
本発明によれば、スイッチ機能を有しながら小型化することができるとともに、部品点数を削減することができ、それにより、低コストを実現することができる。
【発明を実施するための最良の形態】
【００１６】
（実施形態１）
先ず、実施形態１の基本的な構成について説明する。実施形態１のスイッチ機能付きコンセントは、端子挿入孔に、電源プラグのプラグ端子を挿入した場合、プラグ端子の位置によって、そのプラグ端子と商用電源との電気的な接続を制御するスイッチ機能を有するものであり、例えば、図１に示すように、ハウジング１に複数組（図１の例では４組）の端子挿入孔２を形成し、シェル（外殻）（図示せず）内部に収納されて、テーブルタップとして用いられる。
【００１７】
ハウジング１は、例えば、成形品からなるボディ１０とカバー１１とで構成されている。ボディ１０は、上面側に一の開口を有する箱状を形成し、内部には仕切壁１０ａにより２つの収納凹部１０ｂ，１０ｂを形成し、各収納凹部１０ｂ，１０ｂには、後述するコンセントコアブロック４，４を１つずつ収納する。このとき、仕切壁１０ａは、ボディ１０内において各コンセントコアブロック４，４を互いに隔絶している。さらに、仕切壁１０ａには、かしめ接続孔１０ｃ，１０ｃが形成されている。カバー１１は、上面１１ａに、後述する４組の刃受けばね３に対応して４組の三日月状の端子挿入孔２，２，２，２、及びかしめ接続孔１１ｂ，１１ｂを形成する。
【００１８】
ハウジング１は、上記ボディ１０とカバー１１とを鋲（図示せず）によりかしめ接続して組立てられる。ボディ１０のかしめ接続孔１０ｃはボディ１０の厚み方向に立設されたボスからなり、ボディ１０の下面からボス内に鋲を挿入して、鋲の先端をカバー１１のかしめ接続孔１１ｂから突出させ、鋲の両端部をかしめることによってボディ１０とカバー１１とを強固に固定することができる。かしめ接続は、ねじ固定の場合と比較して組立てが簡単であり、また鋲のかしめ部分の外観が悪くても、ハウジング１はシェル（図示せず）内部に収納され外部からは見えないので、シェルの外観を損うことがない。
【００１９】
なお、後述する電源プラグ６のプラグ端子６０（図１３参照）を後述する刃受けばね３に対して挿抜する際に、アークが発生し、プラグ端子６０と刃受けばね３との接触部で発熱することがあるので、刃受けばね３を備えたコンセントコアブロック４を収納するハウジング１には特に耐熱性が要求される。一方、テーブルタップは移動自在に使用されるから、落下したり他の物品に衝突したりすることがあり、ハウジング１を覆うシェル（図示せず）には耐衝撃性が要求される。ここで、耐熱性と耐衝撃性とを同一材料で満足させるのは困難であるために、実施形態１では、耐熱性を有する熱硬化性合成樹脂にてハウジング１を形成するとともに、耐衝撃性を有する熱可塑性合成樹脂からなるシェルでハウジング１を覆うようにしている。もちろん、使用目的などに応じて、ハウジング１とシェルの両方を熱塑性樹脂で成形してもよく、また両方を熱硬化性樹脂で成形してもよい。
【００２０】
端子挿入孔２は、例えば、ハウジング１の上面１１ａに、図２に示すように、オフ用位置（図２の「ＯＦＦ」の位置）２ａ、オン用位置（図２の「ＯＦＦ」の位置）２ｂを時計方向の順で形成される。端子挿入孔２には上記オフ用位置２ａ又はオン用位置２ｂから後述するプラグ端子６０（図１３参照）が挿入され、このプラグ端子６０が挿入された状態で、オフ用位置２ａ及びオン用位置２ｂの２段階回動自在となっている。具体的には、プラグ端子６０をオフ用位置２ａから挿入し、そのプラグ端子６０を端子挿入孔２に挿入した状態で電源プラグ６を時計方向（図２の矢印方向）に回すと、プラグ端子６０はオフ用位置２ａからオン用位置２ｂに移動し、その状態から電源プラグ６を反時計方向に回すと、プラグ端子６０はオン用位置２ｂからオフ用位置２ａに移動する。上記プラグ端子６０は、オフ用位置２ａにあるときに、商用電源Ｅ（図１３参照）と電気的に開放し、オン用位置２ｂにあるときに、商用電源Ｅと電気的に接続する。
【００２１】
コンセントコアブロック４は、図１に示すように、４組の刃受けばね３と、各刃受けばね３を接続する導電バー４０と、導電バー４０を外部電線（図示せず）と電気的に接続するための給電端子片４１とを備え、ボディ１０の収納凹部１０ｂに収納される。このとき、コンセントコアブロック４，４同士は、ボディ１０内の仕切壁１０ａによって隔絶されている。
【００２２】
刃受けばね３は、内側ばね３０、外側ばね３１を備えて構成されている。内側ばね３０及び外側ばね３１は、互いに対向するようにして導電バー４０と接続し、端子挿入孔２から挿入されたプラグ端子６０（図１３参照）を弾性挟持する。刃受けばね３は、端子挿入孔２のオン用位置２ｂに対応する位置（以下「オン部」という）に、導電体からなる刃受け導電部３３（図１３参照）を、内側ばね３０及び外側ばね３１の少なくとも一方に、プラグ端子６０と当接するようにして備える。この刃受け導電部３３は導電バー４０の導電部分（図示せず）と電気的に接続する。これに対して、端子挿入孔２のオフ用位置２ａに対応する位置（以下「オフ部」という）では、刃受けばね３のうち少なくともプラグ端子６０と接触する部分は非導電体である。
【００２３】
導電バー４０は、例えば、金属などの導電部分（図示せず）、及び、樹脂などの非導電部分（図示せず）から構成され、４組の刃受けばね３の内側ばね３０及び外側ばね３１と接続し、一端部に給電端子片４１を形成し、他端部に接続端子片４２を突設して形成している。ここで、導電バー４０の導電部分は、給電端子片４１、接続端子片４２及び刃受けばね３の刃受け導電部３３（図１３参照）と電気的に接続している。
【００２４】
給電端子片４１は、商用電源Ｅ（図１３参照）からの外部電線（図示せず）と接続するかしめ圧着部４３を一体に設けている。このかしめ圧着部４３は、例えば、金属などの導電体からなり、その内部に外部電線を挿入し、その外部電線をかしめ圧着により接続している。上記より、外部電線と給電端子片４１との電気的及び機械的接続を容易に、しかも確実に行うことができる。
【００２５】
接続端子片４２は、導電バー４０の導電部分（図示せず）及び給電端子片４１を介して外部電線（図示せず）と電気的に接続し、他のコンセント（図示せず）を増設する際に、他のコンセントに備えられているコンセントコアブロックに設けられた接続端子片（図示せず）と電気的に接続するために用いられる。
【００２６】
電気プラグ６は、図１３に示すように、ボディ６１、一対のプラグ端子６０，６０を備えている。ボディ６１では、一の面から一対のプラグ端子６０，６０が突出し、他の面（図１３では左上面）に負荷（図示せず）からの電線６２が接続され、上記一対のプラグ端子６０及び電線６２はボディ６１内部で電気的に接続している。プラグ端子６０は、例えば、突出方向に細長い板状の導電体（例えば金属など）からなり、先端部にプラグ孔部６０ａを形成する。プラグ端子６０は、端子挿入孔２（図２参照）に挿入したときに刃受けばね３の内側ばね３０及び外側ばね３１により弾性挟持され、端子挿入孔２のオン用位置２ｂ（図２参照）にあるときに、刃受けばね３の刃受け導電部３３と電気的に接続し、商用電源Ｅと電気的に接続することで、商用電源Ｅからの電力を負荷に伝達する。これに対して、オフ用位置２ａ（図２参照）にあるときは、商用電源Ｅと電気的に開放し、商用電源Ｅからの電力を負荷に伝達しない。
【００２７】
次に、実施形態１のスイッチ機能付きコンセントの動作について説明する。先ず、負荷（図示せず）と接続する電源プラグ６のプラグ端子６０を、図２に示す端子挿入孔２のオフ用位置２ａに挿入する。そのあと、プラグ端子６０（図１３参照）を端子挿入孔２に挿入した状態で、プラグ端子６０がオフ用位置２ａからオン用位置２ｂに位置するように、電源プラグ６を時計方向に回すと、プラグ端子６０を介して商用電源Ｅ（図１３参照）からの電力が負荷に供給され、負荷が動作する。この状態から、プラグ端子６０がオン用位置２ｂからオフ用位置２ａに位置するように、電源プラグ６を反時計方向に回すと、負荷に電力が供給されなくなり、負荷は停止する。なお、プラグ端子６０を最初にオン用位置２ｂに挿入してもよく、このような場合では、プラグ端子６０を端子挿入孔２に挿入した直後に、負荷に電力が供給され、負荷が動作する。
【００２８】
以上、実施形態１によれば、別のスペースにスイッチ部などを設けることなく、プラグ端子６０を端子挿入孔２に挿入した状態で電源プラグ６を回すことにより、プラグ端子６０が商用電源Ｅと電気的に接続するか否かを切り替えることができるので、スイッチ機能を有しながら小型化することができるとともに、部品点数を削減することができ、それにより、低コストを実現することができる。
【００２９】
なお、実施形態１の変形例として、テーブルタップとして用いることに限定されず、例えば防水機能を有する屋外コンセントとして用いてもよい。例えば、電照看板を点灯させる場合には、電照看板からの電源プラグを屋外コンセントに挿入し、電源プラグを時計方向に１段階回せばよい。この状態から電源プラグを反時計方向に１段階回すと、プラグ端子を屋外コンセントから抜くことなく電照看板を消灯することができる。
【００３０】
また、実施形態１の他の変形例として、図８（ｂ）及び図１３に示すように、刃受けばね３は、使用目的に応じて、内側ばね３０又は外側ばね３１において、オフ部及びオン部の少なくとも一方に突起部３２を形成してもよい（図８（ｂ）の例では内側ばね３０に形成し、図１３の例では外側ばね３１に形成している）。上記突起部３２は、プラグ端子６０（図１３参照）が、端子挿入孔２（図２参照）に挿入されたとき、プラグ孔部６０ａと係合し、プラグ端子６０を端子挿入孔２から抜け止めすることができる。特に、オン部に突起部３２を形成すると、プラグ端子６０がオン用位置２ｂ（図２参照）にあり、プラグ端子６０と商用電源Ｅが電気的に接続している状態で、プラグ端子６０が端子挿入孔２から抜けることがないので、安全性を向上させることができる。この場合、プラグ端子６０の挿抜は、オフ用位置２ａ（図２参照）で行われる。
【００３１】
また、突起部３２を形成したときの変形例として、内側ばね３０と外側ばね３１の間隔を少し広げた構成（図８（ａ）の３ｃ参照）にすると、突起部３２を形成した状態であっても、プラグ端子６０（図１３参照）を端子挿入孔２（図２参照）から挿抜することができる。
【００３２】
具体例として、例えば、オン部の内側ばねに突起部を形成するとともに、オフ部については、内側ばねに突起部を形成し、上記のように内側ばねと外側ばねの間隔を少し広げた場合、プラグ端子を端子挿入孔のオフ用位置に挿入し、プラグ端子が端子挿入孔に挿入した状態で、プラグ端子がオフ用位置からオン用位置に位置するように、電源プラグを時計方向に回すと、プラグ端子を介して商用電源からの電力が負荷に供給され、負荷が動作するとともに、上記プラグ端子を端子挿入孔から抜け止めすることができる。この状態から、プラグ端子がオン用位置からオフ用位置に位置するように、電源プラグを反時計方向に回すと、負荷に電力が供給されなくなり、負荷は停止するとともに、プラグ端子を端子挿入孔から抜くことができる。
【００３３】
（実施形態２）
実施形態２は、端子挿入孔２を形成したハウジング１と、刃受けばね３を含むコンセントコアブロック４とを備える点で実施形態１と同様であるが、実施形態１にはない以下に記載の特徴部分がある。実施形態２では、図３に示すように、端子挿入孔２は、実施形態１の端子挿入孔２（図２参照）に、電源プラグ６のプラグ端子６０（図１３参照）が挿抜する挿抜用位置２ｃを追加して形成し、そのプラグ端子６０が挿入された状態で、オフ用位置２ａ、オン用位置２ｂ、挿抜用位置２ｃの３段階回動自在とする。ここで、端子挿入孔２において、オフ用位置２ａ、オン用位置２ｂ、挿抜用位置２ｃを形成する順は限定されるものではなく、図３の例では、時計方向に、挿抜用位置２ｃ、オフ用位置２ａ、オン用位置２ｂの順で形成し、電源プラグ６を挿抜用位置２ｃから時計方向に２段階回すことができる構成である。なお、プラグ端子６０が挿抜用位置２ｃに位置している場合に、プラグ端子６０を商用電源Ｅ（図１３参照）と電気的に接続するか否かは限定されるものではなく、使用用途に応じて設計することができる。
【００３４】
刃受けばね３は、図８（ｂ）に示すように、内側ばね３０のオフ部及びオン部において、実施形態１の刃受けばね３０（図１参照）の内側ばねに、突起部３２を追加して形成した構成である。この場合に、プラグ端子６０が、端子挿入孔２（図３参照）に挿入され、オフ用位置２ａ又はオン用位置２ｂ（ともに図３参照）に位置するとき、上記突起部３２は、プラグ端子６０のプラグ孔部６０ａ（図１３参照）と係合し、プラグ端子６０が端子挿入孔２から容易に抜けないように、プラグ端子６０を抜け止めする。なお、突起部３２は、上記の構成に限定されるものではなく、オフ部及びオン部の少なくとも一方にのみ形成してもよい。
【００３５】
これに対して、端子挿入孔２の挿抜用位置２ｃ（図３参照）に対応する位置（以下「挿抜部」という）において、刃受けばね３は突起部を備えず、内側ばね３０及び外側ばね３１により、端子挿入孔２から挿入されたプラグ端子６０（図１３参照）を弾性挟持する。
【００３６】
次に、実施形態２のスイッチ機能付きコンセントの動作について説明する。先ず、負荷（図示せず）と接続する電源プラグ６のプラグ端子６０（図１３参照）を、図３に示す端子挿入孔２の挿抜用位置２ｃに挿入する。そのあと、プラグ端子６０を端子挿入孔２に挿入した状態で、プラグ端子６０が挿抜用位置２ｃからオフ用位置２ａに位置するように、電源プラグ６を時計方向に１段階回すと、プラグ端子６０は、商用電源Ｅと開放した状態で、端子挿入孔２から抜け止めされる。プラグ端子６０を端子挿入孔２に挿入した状態で、プラグ端子６０がオフ用位置２ａからオン用位置２ｂに位置するように、電源プラグ６をさらに時計方向に１段階回すと、プラグ端子６０を介して商用電源Ｅ（図１３参照）からの電力が負荷（図示せず）に供給され、負荷が動作する。このときもプラグ端子６０は端子挿入孔２から抜け止めされる。この状態から、プラグ端子６０がオン用位置２ｂからオフ用位置２ａに位置するように、電源プラグ６を反時計方向に１段階回すと、プラグ端子６０が端子挿入孔２から抜け止めされた状態で、負荷に電力が供給されなくなり、負荷は停止する。これにより、端子挿入孔２にオフ用位置２ａ、オン用位置２ｂ、挿抜用位置２ｃを形成した場合も、オンオフの切り替えを行うことができ、オンオフスイッチの機能を満足することができる。
【００３７】
以上、実施形態２によれば、別のスペースにスイッチ部などを設けることなく、プラグ端子６０を端子挿入孔２に挿入した状態で電源プラグ６を回すことにより、プラグ端子６０が商用電源Ｅと電気的に接続するか否かを切り替えることができるので、スイッチ機能を有しながら小型化することができるとともに、部品点数を削減することができ、それにより、低コストを実現することができる。また、プラグ端子６０がオフ用位置２ａ及びオン用位置２ｂに位置する場合に、プラグ端子６０を端子挿入孔２から抜け止めすることができるので、安全に使用することができる。
【００３８】
なお、実施形態２の変形例として、テーブルタップとして用いることに限定されず、例えば防水機能を有する屋外コンセントとして用いてもよい。例えば、電照看板を点灯させる場合には、電照看板からの電源プラグを屋外コンセントに挿入し、電源プラグを時計方向に２段階回せばよい。この状態から電源プラグを反時計方向に１段階回すと、プラグ端子を屋外コンセントから抜くことなく電照看板を消灯することができる。
【００３９】
また、実施形態２の他の変形例として、端子挿入孔において、オフ用位置、オン用位置、挿抜用位置を形成する順を、反時計方向に挿抜用位置、オフ用位置、オン用位置の順、又は、図４に示すように、オフ用位置２ａとオン用位置２ｂを入れ替え、時計方向若しくは反時計方向に挿抜用位置２ｃ、オン用位置２ｂ、オフ用位置２ａの順で形成してもよい（図４の例では時計方向）。図４では、電源プラグ６のプラグ端子６０（図１３参照）を端子挿入孔２に挿入した状態で、電源プラグ６を時計方向に１段階回すと、プラグ端子６０はオン用位置２ｂに位置し、プラグ端子６０を介して商用電源Ｅ（図１３参照）からの電力が負荷（図示せず）に供給される。電源プラグ６をさらに時計方向に１段階回すと、プラグ端子６０はオフ用位置２ａに位置する。
【００４０】
このような構成にしても、別のスペースにスイッチ部などを設けることなく、プラグ端子６０を端子挿入孔２に挿入した状態で電源プラグ６を回すことにより、プラグ端子６０が商用電源Ｅと電気的に接続するか否かを切り替えることができるので、スイッチ機能を有しながら小型化することができるとともに、部品点数を削減することができ、それにより、低コストを実現することができる。また、プラグ端子６０がオフ用位置２ａ及びオン用位置２ｂに位置する場合に、プラグ端子６０を端子挿入孔２から抜け止めすることができるので、安全に使用することができる。
【００４１】
（実施形態３）
実施形態３は、端子挿入孔２を形成したハウジング１と、刃受けばね３を含むコンセントコアブロック４とを備える点で実施形態２と同様であるが、実施形態２にはない以下に記載の特徴部分がある。実施形態３では、図５に示すように、端子挿入孔２は、挿抜用位置２ｃから時計方向にオン用位置２ｂ、反時計方向にオフ用位置２ａを形成し、電源プラグ６（図１３参照）を挿抜用位置２ｃから時計方向に１段階、反時計方向に１段階回すことができる構成である。
【００４２】
次に、実施形態３のスイッチ機能付きコンセントの動作について実施形態２と異なる点を説明する。電源プラグ６のプラグ端子６０（図１３参照）を端子挿入孔２の挿抜用位置２ｃに挿入した状態で、電源プラグ６を時計方向に１段階回すと、プラグ端子６０はオン用位置２ｂに位置し、プラグ端子６０を介して商用電源Ｅ（図１３参照）からの電力が負荷（図示せず）に供給される。このときプラグ端子６０は端子挿入孔２から抜け止めされる。これに対して、プラグ端子６０を端子挿入孔２の挿抜用位置２ｃに挿入した状態で、電源プラグ６を反時計方向に１段階回すと、プラグ端子６０はオフ用位置２ａに位置し、負荷に電力が供給されない状態で、プラグ端子６０は端子挿入孔２から抜け止めされる。これにより、端子挿入孔２に挿抜用位置２ｃから時計方向にオン用位置２ｂ、反時計方向にオフ用位置２ａを形成した場合も、オンオフの切り替えを行うことができ、オンオフスイッチの機能を満足することができる。
【００４３】
以上、実施形態３によれば、オフ用位置２ａとオン用位置２ｂは、挿抜用位置２ｃからの回動方向が互いに反対になるので、オンとオフの切り替えの間違いを低減することができ、操作性に優れている。
【００４４】
なお、実施形態３の変形例として、テーブルタップとして用いることに限定されず、例えば防水機能を有する屋外コンセントとして用いてもよい。例えば、電照看板を点灯させる場合には、電照看板からの電源プラグを屋外コンセントに挿入し、電源プラグを時計方向に１段階回せばよい。この状態から電源プラグを反時計方向に２段階回すと、プラグ端子を屋外コンセントから抜くことなく電照看板を消灯することができる。
【００４５】
また、実施形態３の他の変形例として、図６に示すように、端子挿入孔２において、挿抜用位置２ｃから時計方向にオフ用位置２ａ、反時計方向にオン用位置２ｂを形成してもよい。電源プラグ６のプラグ端子６０（図１３参照）を端子挿入孔２に挿入した状態で、電源プラグ６を時計方向に１段階回すと、プラグ端子６０はオフ用位置２ａに位置する。これに対して、電源プラグ６を反時計方向に１段階回すと、プラグ端子６０はオン用位置２ｂに位置し、プラグ端子６０を介して商用電源Ｅ（図１３参照）からの電力が負荷（図示せず）に供給される。このような構成にしても、オフ用位置２ａとオン用位置２ｂは、挿抜用位置２ｃからの回動方向が互いに反対になるので、オンとオフの切り替えの間違いを低減することができ、操作性に優れている。
【００４６】
（実施形態４）
実施形態４は、端子挿入孔２を形成したハウジング１と、刃受けばね３を含むコンセントコアブロック４とを備える点で実施形態２と同様であるが、実施形態２にはない以下に記載の特徴部分がある。実施形態４では、図７に示すように、端子挿入孔２は、例えば、実施形態２の端子挿入孔２の挿抜用位置２ｃ（図３参照）から最も離れている位置に、電源制御器５（図１４参照）に連動する条件付きオン用位置（図７の「機能」の位置）２ｄを追加して形成し、電源プラグ６のプラグ端子６０（図１３参照）が挿入された状態で、オフ用位置２ａ、オン用位置２ｂ、挿抜用位置２ｃ、条件付きオン用位置２ｄの４段階回動自在とする。ここで、端子挿入孔２において、オフ用位置２ａ、オン用位置２ｂ、挿抜用位置２ｃ、条件付きオン用位置２ｄを形成する順は限定されるものではなく、図７の例では、時計方向に、挿抜用位置２ｃ、オフ用位置２ａ、オン用位置２ｂ、条件付きオン用位置２ｄの順で形成し、電源プラグ６を挿抜用位置２ｃから時計方向に３段階回すことができる構成である。
【００４７】
刃受けばね３は、図８（ａ）に示すように、内側ばね３０の条件付きオン用位置２ｄ（図７参照）に対応する位置（以下「条件付きオン部」という）３ｄにおいて、実施形態２の刃受けばね３の内側ばね３０（図１参照）に、突起部３２を形成した構成である。この場合に、プラグ端子６０（図８（ｂ）参照）が、端子挿入孔２（図７参照）に挿入され、オフ用位置２ａ、オン用位置２ｂ又は条件付きオン用位置２ｄ（すべて図７参照）に位置するとき、上記突起部３２は、プラグ端子６０のプラグ孔部６０ａ（図１３参照）と係合し、プラグ端子６０が端子挿入孔２から容易に抜けないように、プラグ端子６０を抜け止めする。なお、突起部３２は、上記の構成に限定されるものではなく、オフ部３ａ、オン部３ｂ及び条件付きオン部３ｄの少なくとも１つに形成していればよい。また、挿抜部３ｃにも、内側ばね３０に突起部３２を形成している。ただし、上記挿抜部３ｃでは、外側ばね３１をオフ部３ａよりも外側に設け、内側ばね３０と外側ばね３１の間隔をオフ部３ａより広げた構成であるので、上記突起部３２を形成した状態であっても、プラグ端子６０を挿抜することができる。
【００４８】
電源制御器５は、例えば、熱感センサ、照度センサ、水センサ、音センサ等のセンサ、又はタイマなどであり、図１４に示すように、商用電源Ｅと、条件付きオン用位置２ｄに対応する刃受けばね３の条件付きオン部３ｄ（図８（ａ）参照）との間に備えられる。電源プラグ６のプラグ端子６０（図１３参照）を端子挿入孔２に挿入し、条件付きオン用位置２ｄに位置する状態において、電源制御器５は、予め決められた条件に基づいて、例えばオンにする条件の場合、プラグ端子６０及び商用電源Ｅ間を電気的に接続させるようにし、そうでない場合若しくはオフにする条件の場合、プラグ端子６０及び商用電源Ｅ間を開放させる。
【００４９】
次に、実施形態４のスイッチ機能付きコンセントの動作について実施形態２と異なる点を説明する。図７に示すように、電源プラグ６のプラグ端子６０（図１３参照）を端子挿入孔２に挿入した状態で、プラグ端子６０がオン用位置２ｂから条件付きオン用位置２ｄに位置するように、電源プラグ６を１段階回すと、電力制御器５（図１４参照）がオンにする条件の場合、プラグ端子６０を介して商用電源Ｅ（図１３参照）からの電力が負荷（図示せず）に供給され、負荷が動作し、そうでない場合、商用電源Ｅからの電力が負荷に供給されない。上記どちらの条件の場合においてもプラグ端子６０は端子挿入孔２から抜け止めされる。この状態から、プラグ端子６０を条件付きオン用位置２ｄからオフ用位置２ａに位置するように、電源プラグ６を反時計方向に２段階回すと、負荷に電力が供給されなくなり、負荷は停止する。このときもプラグ端子６０は端子挿入孔２から抜け止めされている。これにより、端子挿入孔２にオフ用位置２ａ、オン用位置２ｂ、挿抜用位置２ｃ、条件付きオン用位置２ｄを形成した場合、オンオフ及び条件付きオンの切り替えを行うことができ、切替スイッチの機能を満足することができる。
【００５０】
以上、実施形態４によれば、プラグ端子６０が条件付きオン用位置２ｄに位置すると、予め決められた条件に基づいてプラグ端子６０を商用電源Ｅと電気的に接続することができる。また、オン、オフ及び条件付きオンを切り替えるスイッチ機能を有しながら小型化することができるとともに、部品点数を削減することができ、それにより、低コストを実現することができる。
【００５１】
なお、実施形態４の変形例として、テーブルタップとして用いることに限定されず、例えば防水機能を有する屋外コンセントとして用いてもよい。例えば、電照看板を点灯させる場合には、電源プラグを屋外コンセントに挿入し、電源プラグを時計方向に３段階回すと条件付きオン用位置になり、例えばセンサ連動電源、タイマ連動電源とすることができる。
【００５２】
また、実施形態４の他の変形例として、端子挿入孔において、オフ用位置、オン用位置、挿抜用位置を形成する順を、反時計方向に挿抜用位置、オフ用位置、オン用位置の順、又は、オフ用位置とオン用位置を入れ替え、時計方向又は反時計方向に挿抜用位置、オン用位置、オフ用位置の順で形成し、上記のように並んだものに条件付きオン用位置を形成してもよい。このような構成にしても、プラグ端子が条件付きオン用位置に位置すると、予め決められた条件に基づいて、プラグ端子を商用電源と電気的に接続することができる。
【００５３】
さらに、実施形態４の他の変形例として、オフ用位置、オン用位置、挿抜用位置を形成する端子挿入孔において、条件付きオン用位置を、挿抜用位置の両側、又はオフ用位置及びオン用位置の間のいずれかに形成してもよい。図９では、時計方向に、挿抜用位置２ｃ、オン用位置２ｂ、条件付きオン用位置２ｄ、オフ用位置２ａの順で形成し、電源プラグ６のプラグ端子６０（図１３参照）を端子挿入孔２に挿入した状態で、電源プラグ６を時計方向に１段階回すと、プラグ端子６０はオン用位置２ｂに位置し、電源プラグ６をさらに時計方向に１段階回すと、プラグ端子６０は条件付きオン用位置２ｄに位置し、電源プラグ６をさらに時計方向に１段階回すと、プラグ端子６０はオフ用位置２ａに位置する。このような構成にしても、プラグ端子６０が条件付きオン用位置２ｄに位置すると、予め決められた条件に基づいて、プラグ端子６０を商用電源Ｅと電気的に接続することができる。
【００５４】
（実施形態５）
実施形態５は、端子挿入孔２を形成したハウジング１と、刃受けばね３を含むコンセントコアブロック４と、電源制御器５とを備える点で実施形態４と同様であるが、実施形態４にはない以下に記載の特徴部分がある。実施形態５では、図１０に示すように、端子挿入孔２は、挿抜用位置２ｃから時計方向にオン用位置２ｂ、条件付きオン用位置２ｄ、反時計方向にオフ用位置２ａを形成し、電源プラグ６（図１３参照）を挿抜用位置２ｃから時計方向に２段階、反時計方向に１段階回すことができる構成である。なお、端子挿入孔２において、条件付きオン用位置２ｄを形成する位置は限定されるものではない。
【００５５】
次に、実施形態５のスイッチ機能付きコンセントの動作について実施形態４と異なる点を説明する。電源プラグ６のプラグ端子６０（図１３参照）を端子挿入孔２の挿抜用位置２ｃに挿入した状態で、電源プラグ６を時計方向に１段階回すと、プラグ端子６０はオン用位置２ｂに位置し、プラグ端子６０を介して商用電源Ｅ（図１３参照）からの電力が負荷に供給される。このときプラグ端子６０は端子挿入孔２から抜け止めされる。プラグ端子６０を端子挿入孔２に挿入した状態で、電源プラグ６をさらに１段階回すと、プラグ端子６０が条件付きオン用位置２ｄに位置し、電力制御器５（図１４参照）がオンにする条件の場合、プラグ端子６０を介して商用電源Ｅ（図１３参照）からの電力が負荷（図示せず）に供給され、負荷が動作し、そうでない場合、商用電源Ｅからの電力が負荷に供給されない。上記どちらの条件の場合においてもプラグ端子６０は端子挿入孔２から抜け止めされている。次に、プラグ端子６０を端子挿入孔２の挿抜用位置２ｃに挿入したあと、プラグ端子６０を端子挿入孔２に挿入した状態で、電源プラグ６を反時計方向に１段階回すと、プラグ端子６０は、オフ用位置２ａに位置し、端子挿入孔２から抜け止めされるが、商用電源Ｅと開放したままで、負荷に電力が供給されない。
【００５６】
以上、実施形態５によれば、オフ用位置２ａと、オン用位置２ｂ及び条件付きオン用位置２ｄとは、挿抜用位置２ｃからの回動方向が反対になるので、オンとオフの切り替えの間違いを低減することができ、操作性に優れている。
【００５７】
なお、実施形態５の変形例として、テーブルタップとして用いることに限定されず、例えば防水機能を有する屋外コンセントとして用いてもよい。例えば、電照看板を点灯させる場合には、電源プラグを屋外コンセントに挿入し、電源プラグを時計方向に２段階回すと条件付きオン用位置になり、例えばセンサ連動電源やタイマ連動電源とすることができる。
【００５８】
また、実施形態５の他の変形例として、端子挿入孔において、挿抜用位置から時計方向にオフ用位置を形成し、反時計方向にオン用位置及び条件付きオン用位置を形成してもよい。このような構成にしても、オフ用位置と、オン用位置は、挿抜用位置からの回動方向が互いに反対になるので、オン、オフの切り替えの間違いを低減することができ、操作性に優れている。
【００５９】
さらに、実施形態５の他の変形例として、条件付きオン用位置を、挿抜用位置から最も遠い位置、若しくは挿抜用位置の両側のいずれかに形成してもよい。このような構成にしても、オフ用位置と、オン用位置及び条件付きオン用位置とは、挿抜用位置からの回動方向が反対になるので、オンとオフの切り替えの間違いを低減することができ、操作性に優れている。
【００６０】
（実施形態６）
実施形態６は、端子挿入孔２を形成したハウジング１と、刃受けばね３を含むコンセントコアブロック４と、電源制御器５とを備える点で実施形態４と同様であるが、実施形態４にはない以下に記載の特徴部分がある。実施形態６では、図１１（ａ）に示すように、ハウジング１の上面１１ａにおいて、オフ用位置２ａ、オン用位置２ｂ、条件付きオン用位置２ｄを表示するために、それぞれの近傍に突起部１２ａ，１２ｂ，１２ｃを備えている。これにより、電源プラグ６のプラグ端子６０（図１３参照）を端子挿入孔２に挿入し、電源プラグ６を回すときに、オフ用位置２ａ、オン用位置２ｂ、条件付きオン用位置２ｄが明確になり、電源プラグ６の側面の中心付近を上記突起部１２ａ，１２ｂ，１２ｃに合わせることで切り替えることができる。ここで、突起部１２ａ，１２ｂ，１２ｃの形状は、限定されるものではなく、例えば図１１（ｂ）に示すように、カバー１１の上面１１ａから例えば半球状に突出した形状などである（図１１（ｂ）では突起部１２ａのみ図示）。なお、電源プラグ６が突起部１２ｂ若しくは突起部１２ｃから一定の範囲以上ずれると、プラグ端子６０と刃受けばね３の刃受け導電部３３（図１３参照）とが接触しなくなり、オン用位置２ｂ又は条件付きオン用位置２ｄに位置するときの機能が働かなくなる。
【００６１】
以上、実施形態６によれば、端子挿入孔２において、オフ用位置２ａ、オン用位置２ｂ及び条件付きオン用位置２ｄを明確にすることができるので、電源プラグ６を正確に回動することができ、それにより操作性を向上させることができる。
【００６２】
なお、実施形態６の変形例として、ハウジングの上面において、突起部に代わって、若しくは突起部とともに、オフ用位置、オン用位置、条件付きオン用位置の近傍に凹部を形成し、又は、それぞれの近傍を異なる色にしてもよい。このようにしても、端子挿入孔のそれぞれの位置を明確にすることができるので、電源プラグを正確に回動することができ、それにより操作性を向上させることができる。
【００６３】
また、実施形態６の他の変形例として、突起部を、端子挿入孔のオフ用位置、オン用位置、条件付きオン用位置に備える場合に限定されるものではなく、オフ用位置及びオン用位置の場合、オフ用位置、オン用位置、挿抜用位置の場合、オフ用位置、オン用位置、挿抜用位置、条件付きオン用位置の場合などにおいて、それらの位置の一部若しくはすべてに備えてもよい。このような構成であっても、端子挿入孔において突起部を備えた位置では、その位置を明確にすることができるので、電源プラグを正確に回動することができ、それにより操作性を向上させることができる。
【００６４】
（実施形態７）
実施形態７は、端子挿入孔２を形成したハウジング１と、刃受けばね３を含むコンセントコアブロック４と、電源制御器５と、突起部１２ａ，１２ｂ，１２ｃとを備える点で実施形態６と同様であるが、実施形態６にはない以下に記載の特徴部分がある。実施形態７では、図１２に示すように、ハウジング１の上面１１ａにおいて、オン用位置２ｂ、条件付きオン用位置２ｄの近傍に、報知手段として、それぞれ表示ランプ１３ａ，１３ｂを備え、これら表示ランプ１３ａ，１３ｂにより、電源プラグ６のプラグ端子６０（図１３参照）がどの位置に位置しているのかを報知する。具体的には、電源プラグ６の側面の中心付近を上記突起部１２ｂ，１２ｃに合わせ、電源プラグ６がオン用位置２ｂに位置している場合には、表示ランプ１３ａが点灯し、それにより、オンの状態に設定されていることを確認することができる。また、電源プラグ６が条件付きオン用位置２ｄに位置している場合には、表示ランプ１３ｂが点灯する。
【００６５】
表示ランプ１３ａは、例えば発光ダイオード、電球などであり、図１３に示すように、一端側をプラグ端子接触部４４と接続し、他端側を刃受けばね３のオン部３ｂにある刃受け導電部３３と接続する。上記プラグ端子接触部４４は、ハウジング１（図１参照）内に備えられ、プラグ端子６０がオン用位置２ｂ（図１２参照）に位置するときにプラグ端子６０と当接する。これにより、表示ランプ１３ａは、刃受け導電部３３、プラグ端子６０及びプラグ端子接触部４４を介して商用電源Ｅから電力が供給され、点灯する。なお、図１４には回路図を示している。
【００６６】
表示ランプ１３ｂは、表示ランプ１３ａと同様のものを用いて、図１４に示すように、一端側をプラグ端子接触部４４と接続し、他端側を商用電源Ｅからの外部電線（図示せず）と接続する。プラグ端子接触部４４は、ハウジング１（図１参照）内に備えられ、プラグ端子６０（図１３参照）が条件付きオン用位置２ｄに位置するときにプラグ端子６０と当接する。これにより、表示ランプ１３ｂは、刃受け導電部３３、プラグ端子６０及びプラグ端子接触部４４を介して商用電源Ｅから電力が供給され、点灯する。
【００６７】
以上、実施形態７によれば、プラグ端子６０がオン用位置２ｂ、条件付きオン用位置２ｄに位置しているのか否かを明確にすることができ、操作性を向上させることができる。
【００６８】
なお、実施形態７の変形例として、電力制御器５を図１４中のＡの位置に移動して設けてもよい。このような構成にすると、表示ランプ１３ｂは、プラグ端子６０（図１３参照）が条件付きオン用位置２ｄに位置するのみでは点灯せず、電力制御器５による予め決められた条件に基づいて、プラグ端子６０と商用電力Ｅが電気的に接続された場合に、点灯することができる。
【００６９】
また、実施形態７の他の変形例として、２つの表示ランプをそれぞれ異なる色にしてもよい。このようにすると、例えば暗い場所に設置している場合や、遠くから見た場合でもプラグ端子がオン用位置若しくは条件付きオン用位置のいずれの位置に位置しているのかを明確にすることができる。
【００７０】
実施形態７の他の変形例として、表示ランプを、端子挿入孔のオン用位置、条件付きオン用位置に備える場合に限定されるものではなく、オフ用位置及びオン用位置の場合、オフ用位置、オン用位置、挿抜用位置の場合、オフ用位置、オン用位置、挿抜用位置、条件付きオン用位置の場合などにおいて、それらの位置の一部若しくはすべてに備えてもよい。このような構成であっても、端子挿入孔において表示ランプを備えた位置では、プラグ端子がある端子挿入孔の位置を明確にすることができ、操作性を向上させることができる。
【００７１】
さらに、実施形態７の他の変形例として、報知手段は、表示ランプに代わって、若しくは表示ランプとともに、音、音声などを出力するブザー、スピーカーなどの音声手段であってもよい。このような構成にすると、例えば見えない場所に設置している場合であっても、プラグ端子がオン用位置、条件付きオン用位置に位置しているのか否かを明確にすることができ、操作性を向上させることができる。
【００７２】
なお、実施形態１〜７のいずれかの変形例として、テーブルタップとして用いることに限定されず、防水コンセント、埋込コンセントなどとして用いてもよい。このように用いたとしても、同様の効果を得ることができる。
【００７３】
また、実施形態１〜７のいずれかの他の変形例として、図８（ａ）に示すように、刃受けばね３の内側ばね３０及び外側ばね３１の一部若しくは全部は、オフ部３ａ、オン部３ｂ、挿抜部３ｃ、条件付きオン部３ｄごとに分けられたものであってもよい。図８（ａ）の例では、挿抜用位置２ｃとオフ用位置２ａの内側ばね３０を一体にしているが、それ以外の内側ばね３０及び外側ばね３１は、分けられている。このような構成にすると、例えば、オン部３ｂの内側ばね３０及び外側ばね３１を導電体とし、オフ部３ａの内側ばね３０及び外側ばね３１を非導電体とするように、それぞれの位置ごとに異なる材料を用いることができるので、設計の自由度を広げることができる。
【図面の簡単な説明】
【００７４】
【図１】本発明による実施形態１のスイッチ機能付きコンセントの分解斜視図である。
【図２】同上のスイッチ機能付きコンセントの正面図である。
【図３】本発明による実施形態２のスイッチ機能付きコンセントの正面図である。
【図４】同上の他のスイッチ機能付きコンセントの正面図である。
【図５】本発明による実施形態３のスイッチ機能付きコンセントの正面図である。
【図６】同上の他のスイッチ機能付きコンセントの正面図である。
【図７】本発明による実施形態４のスイッチ機能付きコンセントの正面図である。
【図８】同上の刃受けばねであって、（ａ）は正面図、（ｂ）はプラグ端子を挿入したときの図である。
【図９】同上の他のスイッチ機能付きコンセントの正面図である。
【図１０】本発明による実施形態５のスイッチ機能付きコンセントの正面図である。
【図１１】本発明による実施形態６のスイッチ機能付きコンセントであって、（ａ）は正面図、（ｂ）は突起部の側面図である。
【図１２】本発明による実施形態７のスイッチ機能付きコンセントの正面図である。
【図１３】同上のスイッチ機能付きコンセントにプラグ端子を挿入したときの図である。
【図１４】同上のスイッチ機能付きコンセントの回路図である。
【符号の説明】
【００７５】
１  ハウジング
１１ａ  上面
２  端子挿入孔
２ａ  オフ用位置
２ｂ  オン用位置
２ｃ  挿抜用位置
２ｄ  条件付きオン用位置
３  刃受けばね
３０  内側ばね
３１  外側ばね
３２  突起部
４  コンセントコアブロック
【図１】
2005339978.tif 000003
【図２】
2005339978.tif 000004
【図３】
2005339978.tif 000005
【図４】
2005339978.tif 000006
【図５】
2005339978.tif 000007
【図６】
2005339978.tif 000008
【図７】
2005339978.tif 000009
【図８】
2005339978.tif 000010
【図９】
2005339978.tif 000011
【図１０】
2005339978.tif 000012
【図１１】
2005339978.tif 000013
【図１２】
2005339978.tif 000014
【図１３】
2005339978.tif 000015
【図１４】
2005339978.tif 000016